【手続補正書】
【提出日】平成19年2月23日(2007.2.23)
【手続補正１】
【補正対象書類名】明細書
【補正対象項目名】特許請求の範囲
【補正方法】変更
【補正の内容】
【特許請求の範囲】
【請求項１】  無線ネットワークを介して通信する複数の移動端末のうちの１つによって実行される方法であって、
前記１つの移動端末が前記無線ネットワークから送信される情報を受信する時間を決定する工程と、
前記決定された時間において、第１のメッセージ及び第２のメッセージを含む前記無線ネットワークからの送信メッセージを受信する工程と、
前記送信メッセージにおける前記第１のメッセージ又は第２のメッセージが前記１の移動端末に関連するものであるかを決定する工程と
を備えることを特徴とする方法。
【請求項２】  前記送信メッセージは、ページングチャネル上で送信され、前記第１のメッセージが呼出し情報を含み、かつ、前記決定された時間において、前記移動端末がパワーセーブモードを脱し、
前記１つの移動端末が呼出されたかどうかを前記送信メッセージから決定する工程と、
前記１つの移動端末が呼出された場合は、前記呼出しに対して応答する工程と、
前記１つの移動端末が呼出されない場合は、パワーセーブモードに復帰する工程と
を更に備えることを特徴とする請求項１に記載の方法。
【請求項３】  前記１つの移動端末が複数のページンググループのうちの１つに属しており、各ページンググループには、該ページンググループに対応するページングメッセージがページングチャネル上で送信される異なる時間インターバルが割り当てられていることを特徴とする請求項２に記載の方法。
【請求項４】  前記１つの移動端末が複数のアクセスグループのうちの１つに属しており、前記第２のメッセージが、アクセス制限が前記１つのアクセスグループについて有効であるかどうかを示すネットワーク情報を含み、
前記メッセージが前記１つのアクセスグループに対するアクセス制限を示すかどうかを決定する工程と、
前記アクセス制限を示す場合には、該アクセス制限に従う工程と
を備えることを特徴とする請求項３に記載の方法。
【請求項５】  前記アクセス制限が、複数の移動端末によって共有されるランダムアクセスチャネルを介した前記ネットワークへのアクセスタイプの制限を含むことを特徴とする請求項４に記載の方法。
【請求項６】  前記アクセスタイプは、前記ネットワークにおけるエリアからの登録及び、発呼を含むことを特徴とする請求項５に記載の方法。
【請求項７】  前記アクセス制限情報は、
位置登録オペレーションが前記１つのアクセスグループに対して許可されるかどうか、
発呼オペレーションが前記１つのアクセスグループに対して許可されるかどうか、
どのピークデータレートが前記１つのアクセスグループに対して許可されるのか、
どのピーク送信電力レベルが前記１つのアクセスグループに対して許可されるのか、
許可される移動通信加入者優先レベル、又は、
サービスレベル
についての情報を含むことを特徴とする請求項４に記載の方法。
【請求項８】  前記第２のメッセージが、前記１つの移動端末に測定オペレーションを実行し、測定結果を前記無線ネットワークへ通知することを要求する測定要求情報を含むことを特徴とする請求項２に記載の方法。
【請求項９】  前記１つの移動端末に対する呼出し及び、前記グループに対する制限情報が存在するかどうかを前記第１のメッセージから決定する工程をさらに備えることを特徴とする請求項３に記載の方法。
【請求項１０】  無線ネットワークを介して通信する複数の移動端末を有する通信システムにおいて、前記無線ネットワークのノードで実行される方法であって、
移動端末の複数のグループを確立する工程であって、各グループが複数の所定の時間インターバルの１つと関連付けられている工程と、
第１のグループと関連付けられた第１の時間インターバルにおいて、移動端末の前記第１のグループに関連する呼出し及び１以上の無線ネットワーク制限に関する情報を含む第１のメッセージを送信する工程と、
第２のグループと関連付けられた第２の時間インターバルにおいて、移動端末の前記第２のグループに関連する呼出し及び１以上の無線ネットワーク制限に関する情報を含む第２のメッセージを送信する工程と
を備えることを特徴とする方法。
【請求項１１】  前記第１及び第２のメッセージは、ページングチャネル上で送信されるページングメッセージであり、前記第１及び第２のグループはページンググループであることを特徴とする請求項１０に記載の方法。
【請求項１２】  前記第１及び第２のグループが、前記第１及び第２のネットワーク制限グループにも対応することを特徴とする請求項１１に記載の方法。
【請求項１３】  前記第１及び第２のネットワーク制限グループが、無線ネットワークアクセス制限グループであり、
アクセス制限が、複数の移動端末によって共有されるランダムアクセスチャネルでの前記無線ネットワークへのアクセスを制限するものであることを特徴とする請求項１２に記載の方法。
【請求項１４】  前記アクセス制限が、
位置登録オペレーションがアクセス制限グループに対して許可されるかどうか、
発呼オペレーションがアクセス制限グループに対して許可されるかどうか、
どのピークデータレートがアクセス制限グループに対して許可されるのか、
どのピーク送信電力レベルがアクセス制限グループに対して許可されるのか、
許可される移動通信加入者優先レベル、又は、
サービスレベル
を含むことを特徴とする請求項１３に記載の方法。
【請求項１５】  無線ネットワークを介して通信システムにおいて通信を行う移動端末であって、
前記無線ネットワークと、情報の送受信を行うように構成された送受信回路と、
前記移動端末に対する第１及び第２の異なるメッセージを含む無線チャネル上でのメッセージ送信を前記無線ネットワークが行う時間を決定し、前記決定された時間において、前記無線チャネル上で情報を受信するように前記送受信回路を制御し、受信情報を処理し、前記移動端末に関連する前記第１及び第２の異なるメッセージの両方を検出するように構成された電子データ処理及び制御回路と
を備えることを特徴とする移動端末。
【請求項１６】  前記送受信回路及び前記電子データ処理及び制御回路に電力を供給するためのバッテリーをさらに備え、
前記メッセージが、ページングチャネル上で送信され、
前記決定された時間において、前記移動端末が、パワーセーブモードを脱して、動作モードに移行し、この間に前記電子データ処理及び制御回路は、前記第１のメッセージから前記移動端末が呼出されたかどうかを決定し、呼出されていない場合に、バッテリーに蓄積された電力を保持するためにパワーセーブモードへパワーダウンすることを特徴とする請求項１５に記載の移動端末。
【請求項１７】  前記決定された時間において、前記電子データ処理及び制御回路は、前記第２のメッセージが、ネットワークアクセス制限を含むかどうかを決定し、該ネットワークアクセス制限を含まない場合は、バッテリーに蓄積された電力を保持するためにパワーセーブモードへパワーダウンするように構成されることを特徴とする請求項１６に記載の移動端末。
【請求項１８】  前記電子データ処理及び制御回路は、前記第２のメッセージが、ネットワークアクセス制限を含むと決定した場合に、該電子データ処理及び制御回路は、前記第２のメッセージを更に処理して、前記ネットワークアクセス制限を識別するように構成されることを特徴とする請求項１６に記載の移動端末。
【請求項１９】  前記移動端末は、複数のページンググループのうちの１つに対応するグループに属し、前記メッセージ送信はページングチャネル上で受信されることを特徴とする請求項１６に記載の移動端末。
【請求項２０】  前記グループは、また、複数のネットワーク制限グループのうちの１つに対応することを特徴とする請求項１６に記載の移動端末。
【請求項２１】  前記第２のメッセージは、アクセス制限が前記グループに対して有効であるかどうかを示し、前記アクセス制限は、複数の移動端末によって共有されるランダムアクセスチャネルを利用したネットワークへのアクセスタイプの制限を含むことを特徴とする請求項２０に記載の移動端末。
【請求項２２】  無線ネットワークを介して通信する複数の移動端末を有する通信システムにおける無線ネットワークであって、
第１及び第２のページンググループに属する移動端末を決定する手段であって、各ページンググループは複数の所定の時間インターバルの一つに関連付けられている手段と、
前記第１のページンググループと関連付けられた第１のページング時間インターバルにおいて、移動端末の前記第１のグループに関連する呼出し及び１以上の無線ネットワークアクセス制限を含む第１のメッセージを送信する手段と、
前記第２のページンググループと関連付けられた第２のページング時間インターバルにおいて、移動端末の前記第２のグループに関連する呼出し及び１以上の無線ネットワークアクセス制限を含む第２のメッセージを送信する手段と
を備えることを特徴とする無線ネットワーク。
【請求項２３】  前記決定手段が、前記第１及び第２のページンググループに対応する、第１及び第２の無線ネットワークアクセス制限グループを決定し、アクセス制限が、複数の移動端末によって共有されるランダムアクセスチャネルを利用した前記無線ネットワークへのアクセスの制限であることを特徴とする請求項２２に記載の無線ネットワーク。
【請求項２４】  前記第１のページンググループの前記移動端末の１つに対する呼出しが存在するかどうかを決定する手段と、
ページメッセージが前記第１のページンググループの前記移動端末によってリードされるべきであることを、前記第１のメッセージにおいて指示する手段と、
前記第１のグループの前記移動端末の１つに対するネットワーク制限が存在するかどうかを決定する手段と、
前記第１のグループの前記移動端末に対するネットワーク制限が存在することを、前記第２のメッセージにおいて指示する手段と
を備えることを特徴とする請求項２２に記載の無線ネットワーク。